(57)【要約】【課題】転写ヘッドが転写対象物に対してスライドする方向を案内するガイドを備えると共に左右どちらの手で操作しても同じ操作感で使用可能な転写具を提供することを課題とする。【解決手段】ケース本体３の前方にケース本体３に収容した転写テープ４を折り返す転写ヘッド２を設け、ケース本体３の底部にガイド片７と基板８とを有するガイド体９を配設し、ガイド体９のガイド片７がケース本体３の底面上で回動するように係合させる。【選択図】図１
2016101739.tif 000002
【特許請求の範囲】
【請求項１】
ケース本体の前方に該ケース本体に収容した転写テープを折り返す転写ヘッドを設け、前記転写ヘッドを介して前記転写テープの基材上の転写物を被転写面へ転写する転写具であって、前記ケース本体の底部にガイド片を有するガイド体を、前記ガイド片が前記ケース本体の底面上で回動するように係合させたことを特徴とする転写具。
【請求項２】
前記ガイド体は、前記ケース本体の底面上で回動する基板と、前記基板の一側面に係着して該基板の一側面上で回動するガイド片とを有し、前記ガイド片は下方に延びる縦軸部と該縦軸部の端部から立設して前記基板の他側面側へ延びる横棒部とを有することを特徴とする１項に記載の転写具。
【請求項３】
前記ケース本体の底面に該ケース本体の幅方向に回転軸を有する回転受部を設け、前記ケース本体の底面に沿って板状の台座を配設し、前記台座を前記回転受部に係着して回動可能とすると共に、前記台座に前記ガイド体の基板を前記ケース本体の底面上で回動するよう係合することで、前記回転受部を軸にして前記ガイド体を回動するように構成したことを特徴とする１項ないし２項に記載の転写具。
【請求項４】
前記ケース本体の側面に回動可能に係合する保護カバーを設け、携帯時には前記保護カバーを回動して前記転写ヘッドと前記ガイドを同時に覆うことができるよう構成すると共に、転写動作時には、保護カバーを回動して開くことにより前記保護カバーの一端部を被転写面に当接可能に構成したことを特徴とした１項ないし３項に記載の転写具。
【発明の詳細な説明】
【技術分野】
【０００１】
本発明は、転写テープの基材に塗着した糊等の粘着材、修正剤や着色剤等の転写物を紙等の転写対象物に転写するための転写具に関する。
【背景技術】
【０００２】
従来より、転写テープの基材に塗着した糊等の粘着剤、修正剤や着色剤等の転写物を紙等の転写対象物に転写するための転写ヘッドを外方に突出させて備えたケース本体内に配設し、転写ヘッドにより転写テープを転写対象物に押し当てた状態で転写具又は転写対象物をスライドさせることで、転写テープが順次繰出されて転写物を転写対象物へ転写する転写具が知られている。
【０００３】
これらの転写具は、転写ヘッドが常に転写対象物に押圧された状態を保つよう転写具を支えながらスライドさせる必要があり、スライド時に転写ヘッドの動きが不安定になり易く、例えば封筒等の端部に粘着剤等を塗布する際に、ずれないよう一直線に転写することが困難であった。
【０００４】
この問題を解消するために、転写動作時に転写対象物の端部に当接し、端部に沿って転写ヘッドを案内しうるヘッド部案内用のガイドを設けるという技術が特許文献１や特許文献２に開示されている。
【０００５】
しかしながら、特許文献１及び特許文献２に記載された転写具では転写対象物を当接させるガイドの向きを転写ヘッドがスライドする方向に対して一方の垂直方向に固定しているため、右手で転写具を保持して転写動作を行った場合と、左手で保持して行った場合では転写対象物の置き方やガイドを当接させる位置を変える必要があり扱い方が異なるものであった。
【先行技術文献】
【特許文献】
【０００６】
【特許文献１】特開２００８−１０５１９４号公報
【特許文献２】特許４３５２９８４号
【発明の概要】
【発明が解決しようとする課題】
【０００７】
本発明は、前記問題を鑑みて、転写ヘッドが転写対象物に対してスライドする方向を案内するガイドを有すると共に左右どちらの手で操作しても同じ操作感で使用可能な転写具を提供することを課題とする。
【課題を解決するための手段】
【０００８】
本発明は、
「１．ケース本体の前方に該ケース本体に収容した転写テープを折り返す転写ヘッドを設け、前記転写ヘッドを介して前記転写テープの基材上の転写物を被転写面へ転写する転写具であって、前記ケース本体の底部にガイド片を有するガイド体を、前記ガイド片が前記ケース本体の底面上で回動するように係合させたことを特徴とする転写具。
２．前記ガイド体は、前記ケース本体の底面上で回動する基板と、前記基板の一側面に係着して該基板の一側面上で回動するガイド片とを有し、前記ガイド片は下方に延びる縦軸部と該縦軸部の端部から立設して前記基板の他側面側へ延びる横棒部とを有することを特徴とする１項に記載の転写具。
３．前記ケース本体の底面に該ケース本体の幅方向に回転軸を有する回転受部を設け、前記ケース本体の底面に沿って板状の台座を配設し、前記台座を前記回転受部に係着して回動可能とすると共に、前記台座に前記ガイド体の基板を前記ケース本体の底面上で回動するよう係合することで、前記回転受部を軸にして前記ガイド体を回動するように構成したことを特徴とする１項ないし２項に記載の転写具。
４．前記ケース本体の側面に回動可能に係合する保護カバーを設け、携帯時には前記保護カバーを回動して前記転写ヘッドと前記ガイドを同時に覆うことができるよう構成すると共に、転写動作時には、保護カバーを回動して開くことにより前記保護カバーの一端部を被転写面に当接可能に構成したことを特徴とした１項ないし３項に記載の転写具。」である。
【０００９】
本発明の転写具では、ケース本体の底面にガイド体を設けることで、転写ヘッドにより転写テープを被転写面に押圧した状態で前記ケース本体または転写対象物を該転写対象物の端部にガイド体を当接させながらスライドさせることで、転写対象物の端部に沿って真直ぐに転写テープの転写物を転写することができる。また、ガイド体をケース本体の底面上で回動するように構成することで、転写ヘッドが転写対象物に対してスライドする際のガイド体の向きを任意に選択できるため、転写具を保持する手が右手でも左手でも同様に使用することが可能となる。この時、ガイド体は１８０度回動するよう構成することが好ましく、３６０度回動可能とすることで回動方向が規制されないためより好ましい。
【００１０】
また、ガイド片をケース本体の底面に対して垂直方向に延びる縦軸部と水平方向に延びる横軸部とを有する例えばＬ字状やＵ字状に形成し、横軸部を転写動作時に転写対象物の下面に差し込み係合させると共に縦軸部を転写対象物の端部に当接させることで転写ヘッドをスライドさせる方向を転写対象物の端部に沿ってガイドすることが可能となる。
更に、ガイド片を基板の一側面に対して回動可能に係着することで、転写具を携帯して持ち運ぶ際や、転写動作をする際にガイド体を使用しないときはガイド片を回動させて、基板の側面に沿わせることで外方に突出する部分が無くなり、携帯時にガイド片が他の荷物と引っ掛かることで破損したり、転写動作時に転写対象物と接触して動作を妨げることを防止できる。
【００１１】
また、ガイド体の基板と回動可能に係合する台座を設け、台座をケース本体の底面の幅方向に延びる回転受部に回動可能に係着することで、台座とガイド体とを同時に回転受部の回転軸に対して回動することができ、転写動作時に転写ヘッドを転写対象物に押圧する角度を変えたとしても、ガイド体を回転受部に対して回動させることで、ガイド片の横軸部を転写対象物の下面に差し込んだ状態を維持することができ、転写対象物の端部に対して、ガイド片の縦軸部を当接させて転写ヘッドを案内することが可能となる。
【００１２】
更に、ケース本体の側面に回動可能に係合する保護カバーを装着し、携帯時には前記保護カバーを回動して前記転写ヘッドと前記ガイドとを同時に覆うことで、携帯時に転写ヘッドに巻回する転写テープに他の荷物の一部が接触することで予期せぬ場所に転写物が転写されるのを防ぐことができる。更に、転写動作時には、保護カバーを回動して開くことにより転写ヘッドと保護カバーの一端部とを同時に被転写面に当接させることができ、転写ヘッドが傾くことを防止して安定した転写動作を行うことが可能となる。また、保護カバーの一端部が被転写面に当接する部位をＲ状や回転可能なローラーや球状に形成することで転写ヘッドによる転写動作をスムーズにすることができる。
【発明の効果】
【００１３】
本発明では、転写ヘッドが転写対象物に対してスライドする方向を案内するガイドを有し、左右どちらの手で使用しても操作感が変化しない転写具を提供することができた。
【図面の簡単な説明】
【００１４】
【図１】実施例の転写具を示した縦断面図である。
【図２】実施例の転写具における保護カバーを回動し、転写動作を行っている状態を示す縦断面図である。
【図３】実施例の台座と基板とガイド片のみを拡大した図であり、図３（Ａ）は台座と基板とガイド片の側面図である。図３（Ｂ）は図３（Ａ）を下方向からから視た底面図である。
【図４】転写ヘッドを保護カバーで覆っている状態を示す側面図である。
【図５】保護カバーを開いている状態を示す側面図である。
【図６】実施例の転写具において、転写動作を行っている状態を示す側面図である。
【図７】実施例の台座と基板とガイド片のみを拡大した図であり、図７（Ａ）は台座と基板とガイド片の底面図である。図7（Ｂ）は図７（Ａ）において基板とガイド片とを１８０度回転させた底面図である。
【図８】図８は図７（Ａ）のガイド片を基板と平行位置まで回動させた図である。図８（Ａ）は台座と基板とガイド片とを示した側面図であり、図８（Ｂ）は図８（Ａ）を下方向から視た底面図である。
【発明を実施するための形態】
【実施例】
【００１５】
実施例の転写具１は、いわゆる「テープのり」の形態であり、図１において、転写具１の保護カバーがある方向を下方とし、縦軸の反対方向を上方と表現する。また、図１の転写具１の左側を前方と表現し、右側を後方と表現する。更に、転写具の厚み方向を幅方向と表現する。
【００１６】
図１〜図２に示すように転写具１は従来のテープのりと同様に、転写ヘッド２を外方へ突出させて形成したケース本体３内に、テープ状の基材４ａに転写物（糊）４ｂを塗着した転写テープ４を巻き付けた供給リール５と、転写テープ４を巻き取る巻き取りリール６とを回転可能に配設した構造のものである。転写テープ４を転写ヘッド２によって折り返し、転写ヘッド２により転写テープ４を転写対象物１００に押し当てた状態で転写具１または転写対象物１００を転写方向へスライドさせることで、転写テープ４が供給リール５により順次繰り出され、転写テープ４に塗着した転写物（糊）を転写対象物１００へ転写する。転写し終わった転写テープ４の基材４ａは、巻き取りリール６により巻き取られる。
【００１７】
次に、図２〜図３を用いて、転写具１の外周面に形成する構成を説明する。図２に示すように、ケース本体３の底面３ａにガイド片７と基板８とを有するガイド体９と台座１０を配設し、ガイド体９は台座１０に係止してある。また、ケース本体の底面３ａに幅方向に回転軸を有する回転受部３ｂを形成し、回転受部３ｂと台座１０の係止部１０ａとを回転受部３ｂの回転軸で回動可能に係止してある。
【００１８】
また、図３（Ａ）および図３（Ｂ）に示すように、台座１０の係止孔１０ｂと基板８の係止爪８ａが着脱不能且つ回動可能に取り付けてあり、基板８は台座７に対して３６０度回動可能に構成されている。これにより、ガイド体９は回転方向を規制されることなく、左右の任意の方向に回転させることができる。
更に、基板８の側面に設けた係着孔８ｃにはガイド片７の係着部７ｃが回動可能に取り付けられ、ガイド片７はケース本体に対して上下方向に延びる縦軸部７ａとケース本体の幅方向に延びる横軸部７ｂとを有している。
また、台座１０と基板８はゴムやエラストマーなどの弾性体を用いることで、各回転部を回動させたときに適度な抵抗を持たせ、回転動作を任意の位置で止めることができるようにすることが好ましい。
【００１９】
図４及び図５に示すように、ケース本体３は後部両側面に回動可能に係合し、且つケース本体３の下方部を覆う保護カバー１１を備えている。保護カバー１１は他端部の内面に一対の係止凸部１１ａを有し、ケース本体３の後部両側面に形成されたカバー受部３ｃと係止凸部１１ａとを回動可能に係止してある。
また、保護カバー１１は一端部から一部が突出するローラー１２を回動可能にローラー係止部１１ｂに係着してある。
【００２０】
次に、図４から図７を用いて、本実施例の転写具１を用いて転写対象物に転写動作を行う状態を説明する。
【００２１】
実施例の転写具１は、図４の状態から図５のように転写ヘッド２とガイド体９とを覆っている保護カバーを後方に向かって回動させて、転写ヘッド２とガイド体９とを露出させ、ガイド体９を回転受部３ｂで回動させてガイド片７の横軸部7ｂを転写ヘッドと平行になるまで下げ、図６に示すようにガイド片７の横軸部７ｂを転写対象物１００に差し込み、縦軸部７ａと転写対象物１００の端部１００ａを当接させる。転写対象物１００を縦軸部７ａと当接させつつ転写ヘッド２を転写対象物１００の被転写面１００ｂに押圧し、更に保護カバー１１のローラー１２を転写対象物１００に当接させ、縦軸部７ａと転写対象物１００の端部１００ａに当接させた状態を維持しつつ転写具１を後方に移動させることで、転写対象物１００の端部に沿って転写物（糊）を転写することができる。またカバーの他端部に設けたローラー１２により、転写ヘッド２とローラー１２の２点で支えながら転写ヘッド２をスライドさせることができ、転写ヘッド２が傾くのを防止すると共に転写具１を真直ぐスムーズに移動することができ、安定した状態で転写できる。
また、図７に示すように図７（Ａ）の状態から図７（Ｂ）の状態にガイド体９を１８０度回転させることで、転写具１を保持する手を替えても同じ動作により転写を実施することが可能となり、利き手に左右されることなく同じ動作で転写具の使用が可能となる。
【００２２】
次に、転写具１の使用を終え、カバンなどに入れて携帯する場合について説明する。
使用が終わった転写具１は保護カバー１１を図４の状態に戻すことで保護カバー１１により、転写ヘッド２及びガイド体９が覆われ、カバンなどに入れて携帯する時に、転写ヘッド２が不用意に他の荷物に接触して転写物（糊）が塗着されるのを防ぐと共に、ガイド体９が他の荷物に絡まって破損したり、他の荷物に傷をつけることを防ぐことができる。
【００２３】
また、図８に示すように転写動作時にガイド体９を使用しない場合は、ガイド片７を係着部７ｃで回動して、基板８からガイド片7の縦軸部７ａと横軸部７ｂが外方に突出しないようにすることで、ガイド片７が被転写面に当たって転写動作の妨げになることを防止でき、保護カバー１１を設けない仕様（図示せず）でも、保管時や携帯時にガイド片７が他の物品と絡まって破損することを防止できる。
【産業上の利用可能性】
【００２４】
本発明による転写具の構造は、糊などを塗着させるテープのりほか、間違った部分などを上塗りするための被膜を塗着させる修正テープなどに使用することができる。
【符号の説明】
【００２５】
１…転写具、
２…転写ヘッド、
３…ケース本体、３ａ…底面、３ｂ…回転受部、３ｃ…カバー受部、
４…転写テープ、４ａ…基材、４ｂ…転写物、
５…供給リール、
６…巻取リール、
７…ガイド片、７ａ…縦軸部、７ｂ…横軸部、７ｃ…係着部、
８…基板、８ａ…係止爪、8ｂ…係着孔
９…ガイド体、
１０…台座、１０ａ…係止部、１０ｂ…係止孔、
１１…保護カバー、１１ａ…係止凸部、１１ｂ…ローラー係止部、
１２…ローラー、
１００…転写対象物、１００ａ…端部、１００ｂ…被転写面。
【図１】
2016101739.tif 000003
【図２】
2016101739.tif 000004
【図３】
2016101739.tif 000005
【図４】
2016101739.tif 000006
【図５】
2016101739.tif 000007
【図６】
2016101739.tif 000008
【図７】
2016101739.tif 000009
【図８】
2016101739.tif 000010